(57)【要約】【課題】輸送、保管する場合に場所を取ることなく、よって、輸送、保管コストもかからない飼料ホッパーを提供する。【解決手段】飼料ホッパー１を軸方向に同一形状に２分割された２体の分割体２，２から構成する。各分割体２，２の円筒部２ａにボルト挿通孔３，３を穿設するとともに、各分割体２，２の円錐部２ｄの一側部に突出片５，５，・・・を形成し、円錐部２ｄの他側部に嵌合孔６，６，・・・を形成する。【選択図】　　　　　図３
2004129619.tif 000002
【特許請求の範囲】
【請求項１】
軸方向に同一形状に２分割された２体の分割体からなり、各分割体の上側円筒部にボルト挿通孔を穿設するとともに、各分割体の円錐部の一側部に突出片を形成し、円錐部の他側部に嵌合孔を形成したことを特徴とする飼料ホッパー。
【請求項２】
前記分割体の円錐部の中間部に中間円筒部を形成し、この中間円筒部にボルト挿通孔を穿設したことを特徴とする請求項１に記載の飼料ホッパー。
【発明の詳細な説明】
【０００１】
【発明の属する技術分野】
本発明は、家畜用給餌器、家畜用給餌システム等の構成部品として使用される飼料ホッパーに関する。
【０００２】
【従来の技術】
家畜用給餌器１０１は、図７に示すように、飼料ホッパー１０２、案内筒体１０３、餌量調整部材１０４、支持杆１０５、支持柵１０６、給水管１０７、給水器１０８、底皿１０９等から構成される。
そして、従来の飼料ホッパー１０２は、合成樹脂等からなる一体成形品であって、下側円筒部１０２ａを案内筒体１０３の上端部に挿入するとともに、円錐部１０２ｂにおいて支持柵１０６にネジで固定して、支持していた（例えば、特許文献１参照。）。
【０００３】
又、家畜用給餌システムは、屋内に設置された飼料搬送配管、家畜用給餌器、搬送コンベア等、屋外に設置された図９に示すような大型飼料ホッパー、搬送コンベア駆動装置等から構成される。
そして、従来の大型飼料ホッパー１５１は、合成樹脂等からなる一体成形品であって、複数の支柱１５２を立設し、飼料ホッパー１５１の円筒部１５１ａに締付ベルト１５３を巻回し、それらを支柱１５２に固定して、支持していた。
【０００４】
【特許文献１】
特開２０００−１６６４１４号公報
【０００５】
【発明が解決しようとする課題】
従来の家畜用給餌器１０１の飼料ホッパー１０２は、合成樹脂等からなる一体成形品であったから、飼料ホッパー１０２を輸送、保管する場合には、図８に示すように、一の飼料ホッパー１０２の上端開口から他の飼料ホッパー１０２の下側円筒部１０２ａ及び円錐部１０２ｂを挿入し、以下、順次軸方向に重ねるようにして、輸送、保管していた。よって、輸送、保管時に場所を取り、それだけ、輸送、保管コストもかかるものとなっていた。
【０００６】
又、円錐部１０２ｂにおいて支持柵１０６にネジで固定していたから、飼料ホッパー１０２の内部にネジの軸部が突出することとなり、飼料ホッパー１０２内に貯蓄された飼料Ｓがネジの軸部に付着し易かった。よって、徐々にネジの軸部に付着する飼料Ｓが蓄積していき、飼料Ｓが円滑に下方に流動するのを阻害していた。
【０００７】
一方、従来の家畜用給餌システムの飼料ホッパー１５１は、合成樹脂等からなる一体成形品であったから、飼料ホッパー１５１を輸送する場合には、図１０に示すように、飼料ホッパー１５１をそのままトラック等の荷台に載置し、ベルト等で固定して、輸送していた。保管する場合にも、飼料ホッパー１５１をそのまま適宜場所に配置して、保管していた。よって、輸送、保管時に場所を取り、それだけ、輸送、保管コストもかかるものとなっていた。
【０００８】
本発明は、かかる従来における問題点に鑑みて為されたものであり、その目的とするところは、飼料ホッパーを輸送、保管する場合に場所を取ることなく、よって、輸送、保管コストもかからないとともに、飼料ホッパー内に貯蓄された飼料Ｓがネジの軸部に付着し難く、よって、飼料Ｓが円滑に下方に流動する飼料ホッパーを提供することにある。
【０００９】
【課題を解決するための手段】
上記目的を達成するため、本発明の飼料ホッパーは、軸方向に同一形状に２分割された２体の分割体からなり、各分割体の円筒部にボルト挿通孔を穿設するとともに、各分割体の円錐部の一側部に突出片を形成し、円錐部の他側部に嵌合孔を形成したことを特徴とする。
【００１０】
さらに、前記分割体の円錐部の中間部に中間円筒部を形成し、この中間円筒部にボルト挿通孔を穿設してもよい。
【００１１】
【発明の実施の形態】
以下、本発明の飼料ホッパーの好適な実施形態について、図面に基づいて説明する。
【００１２】
図３に示すものは、本発明の家畜用給餌器の飼料ホッパー１であって、軸方向に同一形状に２分割された２体の分割体２，２から構成される。
【００１３】
各分割体２は、図１に示すように、上側円筒部２ａ、上側円錐部２ｂ、中間円筒部２ｃ、下側円錐部２ｄ及び下側円筒部２ｅからなり、図１及び図２に示すように、上側円錐部２ｂ、中間円筒部２ｃ、下側円錐部２ｄ及び下側円筒部２ｅの一側部には、分割体２の略肉厚程度外方に張出するとともに側方に突出する突出帯状部７を形成してある。
そして、上側円筒部２ａの両側部にはボルト挿通孔３，３を穿設してあり、中間円筒部２ｃの両側部にもボルト挿通孔４，４を穿設してある。
又、図１及び図２に示すように、下側円錐部２ｄ及び下側円筒部２ｅの一側部には突出片５，５を形成してあり、下側円錐部２ｄ及び下側円筒部２ｅの他側部には嵌合孔６，６を形成してある。
【００１４】
本発明の飼料ホッパー１は、上記の如く構成されているので、図３に示すように、２体の分割体２，２を対向させ、互いの両側部で当接させれば、すなわち、一方の分割体２の突出帯状部７を他方の分割体２の側辺部分に外側から当接させれば、両分割体２，２の上側円筒部２ａに穿設されたボルト挿通孔３，３、中間円筒部２ｃに穿設されたボルト挿通孔４，４が合致するようになっている。よって、ボルト挿通孔３，３にボルトを挿通してナットで締め付ければ、２体の分割体２，２は、上側円筒部２ａにおいて連結される。
【００１５】
又、分割体２，２を互いの両側部で当接させた時、図２及び図３に示すように、一方の分割体２の下側円錐部２ｄ及び下側円筒部２ｅの一側部に形成された突出片５，５を、他方の分割体２の下側円錐部２ｄ及び下側円筒部２ｅの他側部に形成された嵌合孔６，６に嵌合できるようになっている。よって、２体の分割体２，２は、下側円錐部２ｄ及び下側円筒部２ｅにおいても連結される。
【００１６】
このような状態で、図３に示すように、連結された分割体２，２を、すなわち、飼料ホッパー１を適宜位置に設置し、合致したボルト挿通孔４，４にボルトを挿通して、中間円筒部２ｃにおいて支持柵７に固定すれば、家畜用給餌器８を構成することができる。
【００１７】
ここで、飼料ホッパー１では、中間円筒部２ｃにおいて支持柵７に固定するから、やはり、飼料ホッパー１の内部にネジの軸部が突出することとはなるが、中間円筒部２ｃでは飼料ホッパー１内に貯蓄された飼料Ｓは真下に落下するから、ネジの軸部に付着し難いし、例え付着したとしても、ネジの軸部に付着する飼料Ｓが蓄積していくことはない。よって、飼料Ｓが円滑に下方に流動するのを阻害することはない。
【００１８】
一方、本発明の飼料ホッパー１は、軸方向に同一形状に２分割された分割体２の状態では、飼料ホッパー１を輸送、保管する場合には、図４に示すように、一の分割体２の内側面に他の分割体２の外側面を当接し、以下、順次内外側面で重ねて、輸送、保管することができる。よって、輸送、保管時に場所を取ることはなく、輸送、保管コストもかからない。
【００１９】
図５に示すものは、本発明の家畜用給餌システムの大型飼料ホッパー５１であって、軸方向に同一形状に２分割された２体の分割体５２，５２及び蓋体５３から構成される。
【００２０】
各分割体５２は、円筒部５２ａ、円錐部５２ｂ及び鍔状部５２ｃからなる。
そして、円筒部５２ａの両側部にはボルト挿通孔５４，５４を穿設してあり、円錐部５２ｂの一側部には突出片５５，５５を形成し、他側部には嵌合孔５６，５６を形成してある。
【００２１】
本発明の飼料ホッパー５１は、上記の如く構成されているので、図５に示すように、２体の分割体５２，５２を対向させ、互いの両側部で当接させれば、両分割体５２，５２の円筒部５２ａに穿設されたボルト挿通孔５４，５４が合致するようになっている。よって、ボルト挿通孔５４，５４にボルトを挿通してナットで締め付ければ、２体の分割体５２，５２は、円筒部２ａにおいて連結される。
【００２２】
又、分割体５２，５２を互いの両側部で当接させた時、図５に示すように、一方の分割体５２の円錐部５２ｂの一側部に形成された突出片５５，５５を、他方の分割体５２の円錐部５２ｂの他側部に形成された嵌合孔５６，５６に嵌合できるようになっている。よって、２体の分割体５２，５２は、円錐部５２ｂにおいても連結される。
【００２３】
このような状態で、図５に示すように、連結された分割体５２，５２の上端開口に蓋体５３を被覆すれば、飼料ホッパー５１が構成される。
そして、複数の支柱５７を立設し、飼料ホッパー５１の円筒部５１ａに締付ベルト５８を巻回し、それらを支柱５７に固定すれば、飼料ホッパー５１を設置することができる。
【００２４】
一方、本発明の飼料ホッパー５１は、軸方向に同一形状に２分割された分割体５２の状態では、飼料ホッパー５１を輸送、保管する場合には、図６に示すように、一の分割体５２の外側面に他の分割体５２の内側面を当接し、以下、順次内外側面で重ねて、輸送、保管することができる。よって、輸送、保管時に場所を取ることはなく、輸送、保管コストもかからない。
【図面の簡単な説明】
【図１】本発明の家畜用給餌器の飼料ホッパーを構成する分割体を示す図である。
【図２】図１の分割体のＡ部拡大断面図及びＢ部拡大断面図である。
【図３】本発明の家畜用給餌器の飼料ホッパーの設置前及び設置後の状態を示す図である。
【図４】本発明の家畜用給餌器の飼料ホッパーの運搬、保管時の状態を示す図である。
【図５】本発明の家畜用給餌システムの飼料ホッパーの設置前及び設置後の状態を示す図である。
【図６】本発明の家畜用給餌システムの飼料ホッパーの運搬、保管時の状態を示す図である。
【図７】従来の家畜用給餌器の飼料ホッパーの設置前及び設置後の状態を示す図である。
【図８】従来の家畜用給餌器の飼料ホッパーの運搬、保管時の状態を示す図である。
【図９】従来の家畜用給餌システムの飼料ホッパーの設置前及び設置後の状態を示す図である。
【図１０】従来の家畜用給餌システムの飼料ホッパーの運搬、保管時の状態を示す図である。
【符号の説明】
１　給餌器用飼料ホッパー
２　分割体
２ａ　上側円筒部
２ｃ　中間円筒部
２ｄ　下側円錐部
２ｅ　下側円筒部
３　ボルト挿通孔
４　ボルト挿通孔
５　突出片
６　嵌合孔
５１　給餌器用飼料ホッパー
５２　分割体
５２ａ　円筒部
５２ｂ　円錐部
５４　ボルト挿通孔
５５　突出片
５６　嵌合孔
【図１】
2004129619.tif 000003
【図２】
2004129619.tif 000004
【図３】
2004129619.tif 000005
【図４】
2004129619.tif 000006
【図５】
2004129619.tif 000007
【図６】
2004129619.tif 000008
【図７】
2004129619.tif 000009
【図８】
2004129619.tif 000010
【図９】
2004129619.tif 000011
【図１０】
2004129619.tif 000012